(57)【要約】【課題】  一つの昇降経路に複数台のかごを配置し互いに連係してそれぞれ運転する構成であって容易に設置することができるエレベーター装置を得る。【解決手段】  昇降路１に鉛直に形成した一つの昇降経路に上かご４及び下かご６を配置して、第一巻上機８により主索１３を介して上かご４を、また第二巻上機９により同じ主索１３を介して下かご６を連携してそれぞれ昇降運転する。  これにより、かご内の乗客に不快感を感じさせることなく昇降速度を適宜に高速化することができて輸送効率を向上する。また、つり合おもり１０を上かご４及び下かご６に共用することとも相俟って昇降経路の形成のための水平面における所要面積が少なくなりエレベーター装置の設置に要する費用を節減する。【選択図】        図１
2005089086.tif 000002
【特許請求の範囲】
【請求項１】
昇降路に配置されて昇降する上かごと、上記上かごの昇降経路における上記上かごの下側に配置されて上記上かごと同じ昇降経路を昇降する下かごと、上記昇降路の上方に設けられて上記上かごに対応して配置された第一巻上機と、上記昇降路の上方に設けられて上記下かごに対応して配置された第二巻上機と、上部に第一つり合おもり滑車及び第二つり合おもり滑車が枢着され、上記昇降路に配置されて昇降するつり合おもりと、一端が上記昇降路上部に連結され上記上かご下部の両側に設けられたかご滑車に巻掛けられて上記第一巻上機に巻掛けられ、上記第一つり合おもり滑車に巻掛けられて上記昇降路の上方に設けられた第一滑車に巻掛けられ上記第二つり合おもり滑車に巻掛けられて上記昇降路の上方に設けられた第二滑車に巻掛けられ、上記第二巻上機に巻掛けられて上記下かご下部の両側に設けられたかご滑車に巻掛けられ他端は上記昇降路上部に連結された主索とを備えたエレベーター装置。
【請求項２】
昇降路を昇降する移動ケーブル用おもりと、この移動ケーブル用おもりの上部に枢着された上部移動ケーブル滑車と、上記昇降路の上方に設けられて上かご対応位置に配置された第一移動ケーブル滑車と、上記昇降路の上方に設けられて上記移動ケーブル用おもり対応位置に配置された第二移動ケーブル滑車と、上記昇降路の上方に設けられたエレベーター装置の制御盤と、一端が上記上かごに接続されて上方に張設されて上記第一移動ケーブル滑車及び第二移動ケーブル滑車に巻掛けられ、下方に張設されて上記上部移動ケーブル滑車に巻掛けられて上方に張設され他端は上記制御盤に接続された第一移動ケーブルとを備えたことを特徴とする請求項１記載のエレベーター装置。
【発明の詳細な説明】
【技術分野】
【０００１】
この発明は、昇降路に形成された一つの昇降経路に複数台のかごが配置されて、これらのかごが互いに連係してそれぞれ運転されるエレベーター装置に関する。
【背景技術】
【０００２】
従来のエレベーター装置においては、円筒形の内面に螺旋状の主軌道及び主軌道から分岐して水平に配置された補助軌道によって昇降経路が形成される。そして、自走する複数のかごが昇降経路に配置されてかごが主軌道を走行して昇降し、また補助軌道にかごが停止したり、退避したりするように構成されている。（例えば、特許文献１参照）。
【０００３】
【特許文献１】特開平５−１３９６６０号公報（第２頁、図１）
【発明の開示】
【発明が解決しようとする課題】
【０００４】
従来のエレベーター装置では、かごが螺旋状の主軌道又は主軌道から分岐して水平に配置された補助軌道を旋回状態に走行するので、走行時にかご内の乗客に遠心力が作用する。このため、走行時に乗客が感じる不快感を抑制する必要があって、かごの走行速度を遅くすることになり輸送効率が低下するという問題点があった。また、円筒形の内面に螺旋状の主軌道、補助軌道が設けられるので、昇降経路のための水平面における所要面積が増し、エレベーター装置の設置に要する費用が嵩むという問題点があった。
【０００５】
この発明は、かかる問題点を解消するためになされたものであり、一つの昇降経路に複数台のかごが互いに連係してそれぞれ運転される構成であって容易に設置することができるエレベーター装置を得ることを目的とする。
【課題を解決するための手段】
【０００６】
この発明に係るエレベーター装置においては、昇降路に配置されて昇降する上かごと、上かごの昇降経路における上かごの下側に配置されて上かごと同じ昇降経路を昇降する下かごと、昇降路の上方に設けられて上かごに対応して配置された第一巻上機と、昇降路の上方に設けられて下かごに対応して配置された第二巻上機と、上部に第一つり合おもり滑車及び第二つり合おもり滑車が枢着され、昇降路に配置されて昇降するつり合おもりと、一端が昇降路上部に連結され上かご下部の両側に設けられたかご滑車に巻掛けられて第一巻上機に巻掛けられ、第一つり合おもり滑車に巻掛けられて昇降路の上方に設けられた第一滑車に巻掛けられ第二つり合おもり滑車に巻掛けられて昇降路の上方に設けられた第二滑車に巻掛けられ、第二巻上機に巻掛けられて下かご下部の両側に設けられたかご滑車に巻掛けられ他端は昇降路上部に連結された主索とが設けられる。
【発明の効果】
【０００７】
この発明によるエレベーター装置は、昇降路に鉛直に形成された一つの昇降経路に上かご及び下かごが配置されて、第一巻上機により主索を介して上かごが運転され、また第二巻上機により主索を介して下かごが運転され、かつ上かご及び下かごが連携してそれぞれ昇降運転される。このため、かご内の乗客に不快感を感じさせることなく昇降速度を適宜に高速化することができて輸送効率を向上する効果がある。また、つり合おもりを上かご及び下かごに共用することとも相俟って昇降経路の形成のための水平面における所要面積が少なくなりエレベーター装置の設置に要する費用を節減する効果がある。
【発明を実施するための最良の形態】
【０００８】
実施の形態１．
図１〜図３は、この発明の実施の形態を示す図で、図１は概念的に示す縦断面図、図２は図１において上かご及び下かごが互いに離れた位置に配置された状態を示す図、図３は図１において上かご及び下かごが昇降路の下部寄り位置に配置された状態を示す図である。図において、昇降路１に互いに離れて乗場２が設けられ、また昇降路１の上方に機械室３が設けられる。そして、昇降路１に配置されて昇降する上かご４が設けられて上かご４の下部の両側にそれぞれかご滑車５が枢着される。
【０００９】
また、上かご４の昇降経路における上かご４の下側に下かご６が設けられて下かご６の下部の両側にそれぞれかご滑車７が枢着される。そして、昇降路１の上方すなわち機械室３に第一巻上機８が設けられて上かご４に対応した位置に配置される。また、機械室３に第二巻上機９が設けられて下かご６に対応した位置に配置される。そして、昇降路１を昇降するつり合おもり１０が設けられて、上部に第一つり合おもり滑車１１及び第二つり合おもり滑車１２が水平方向に互いに離れて枢着される。
【００１０】
そして、主索１３の一端が昇降路１上部に連結されて下方に張設され上かご４のかご滑車５に巻掛けられて上方に張設され第一巻上機８に巻掛けられて下方に張設され、第一つり合おもり滑車１１に巻掛けられて上方に張設され昇降路１の上方に設けられた第一滑車１４に巻掛けられて下方に張設され、第二つり合おもり滑車１２に巻掛けられて上方に張設され昇降路１の上方に設けられた第二滑車１５に巻掛けられ、第二巻上機９に巻掛けられて下かご６のかご滑車７に巻掛けられて上方に張設され他端は昇降路１上部に連結される。
【００１１】
また、昇降路１を昇降する移動ケーブル用おもり１６が設けられて、上部移動ケーブル滑車１７が枢着される。そして、機械室３に第一移動ケーブル滑車１８が設けられて上かご４に対応した位置に配置され、また機械室３に第二移動ケーブル滑車１９が設けられて移動ケーブル用おもり１６に対応した位置に配置される。また、機械室３にエレベーター装置の制御盤２０が設けられる。
【００１２】
そして、第一移動ケーブル２１の一端が上かご４に接続されて上方に張設されて第一移動ケーブル滑車１８及び第二移動ケーブル滑車１９に巻掛けられ、下方に張設されて上部移動ケーブル滑車１７に巻掛けられて上方に張設され他端は制御盤２０に接続される。また、第二移動ケーブル２２の一端が下かご６に接続され昇降路１に湾曲部を形成して吊設され他端は制御盤２０に接続される。
【００１３】
上記のように構成されたエレベーター装置において、上かご４は第一巻上機８により主索１３による２：１ローピングの綱掛けによって、また下かご６は第二巻上機９により主索１３による２：１ローピングの綱掛けによって牽引される。また、つり合おもり１０は第一巻上機８及び第二巻上機９の少なくとも一方により主索１３による４：１ローピングの綱掛けによって牽引される。また、第一移動ケーブル２１に緩みが生じないように移動ケーブル用おもり１６によって張力が付与される。
【００１４】
また、上かご４のかご操作盤（図示しない）が第一移動ケーブル２１によって、また下かご６のかご操作盤（図示しない）が第二移動ケーブル２２によって制御盤２０に接続される。そして、第一巻上機８及び第二巻上機９が制御盤２０により制御されて、上かご４及び下かご６の両者がそれぞれ連携して動作し、上記両者の相互が所定間隔を超えて接近しないように運転される。
【００１５】
そして、上かご４及び下かご６が共に昇降路１の上部寄り位置に移動した場合には、つり合おもり１０、移動ケーブル用おもり１６が図１に示すように配置される。また、上かご４及び下かご６が昇降路１の互いに離れた位置に移動した場合には、つり合おもり１０、移動ケーブル用おもり１６が図２に示すように配置される。さらに、上かご４及び下かご６が昇降路１の下部寄り位置に移動した場合には、つり合おもり１０、移動ケーブル用おもり１６が図３に示すように配置される。
【００１６】
このようなエレベーター装置において、昇降路１に鉛直に形成された一つの昇降経路に上かご４及び下かご６が連携して昇降運転される。このため、かご内の乗客に不快感を感じさせることなく昇降速度を適宜に高速化することができて輸送効率を向上することができる。また、つり合おもり１０を上かご４及び下かご６に共用することとも相俟って昇降経路の形成のための水平面における所要面積が少なくなりエレベーター装置の設置に要する費用を節減することができる。
【００１７】
また、移動ケーブル用おもり１６によって第一移動ケーブル２１に張力が付与されるので、第一移動ケーブル２１が弛緩して昇降する下かご６に絡みつくことを防止することができる。このため、第一移動ケーブル２１が下かご６に接触して損傷したり、断線したりする不具合の発生を未然に防ぐことができる。
【図面の簡単な説明】
【００１８】
【図１】この発明の実施の形態１を概念的に示す縦断面図。
【図２】図１において上かご及び下かごが昇降路の互いに離れた位置に配置された状態を示す図。
【図３】図１において上かご及び下かごが昇降路の下部寄り位置に配置された状態を示す図。
【符号の説明】
【００１９】
１  昇降路、４  上かご、５  かご滑車、６  下かご、７  かご滑車、８  第一巻上機、９  第二巻上機、１０  つり合おもり、１１  第一つり合おもり滑車、１２  第二つり合おもり滑車、１３  主索、１４  第一滑車、１５  第二滑車、１６  移動ケーブル用おもり、１７  上部移動ケーブル滑車、１８  第一移動ケーブル滑車、１９  第二移動ケーブル滑車、２０  制御盤、２１  第一移動ケーブル。
【図１】
2005089086.tif 000003
【図２】
2005089086.tif 000004
【図３】
2005089086.tif 000005